(57)【要約】【課題】  視聴したい部分のみを一括してプレイリストに変換することのできるデータ再生装置を提供すること。【解決手段】  データ記録手段に格納された映像データの複数のチャプタ情報により区切られる複数のチャプタ映像データのうち所定のチャプタ映像データの位置情報を取得してプレイリストに一括変換する。ユーザが奇数のチャプタ映像データの一括プレイリスト変換を選択すると、奇数のチャプタ映像データの位置情報を取得してプレイリストを作成し（ステップＳ１０）、ユーザが偶数のチャプタ映像データの一括プレイリスト変換を選択すると、偶数のチャプタ映像データの位置情報を取得してプレイリストを作成する（ステップＳ１４）。【選択図】        図６
2006172618.tif 000002
【特許請求の範囲】
【請求項１】
放送信号に基づく前記映像データを受信するための受信手段と、
前記映像データを格納するためのデータ記録手段と、
前記データ記録手段に格納された前記映像データの複数のチャプタ情報を格納するためのチャプタ情報記録手段と、
前記受信手段により受信された前記映像データを前記データ記録手段に書き込むための書き込み手段と、
前記書き込み手段により前記データ記録手段に書き込まれる場合に、前記映像データのコマーシャルの開始位置および終了位置を検出して前記チャプタ情報を前記チャプタ情報記録手段に書き込むための第１のチャプタ設定手段と、
ユーザからの指示に基づいて、前記データ記録手段に格納された前記映像データの前記チャプタ情報を前記チャプタ情報記録手段に書き込むための第２のチャプタ設定手段と、
前記チャプタ情報記録手段に格納された前記複数のチャプタ情報により区切られる複数の部分映像データのうち所定の前記部分映像データの位置情報を取得してプレイリストに一括変換するためのプレイリスト変換手段とを備え、
前記プレイリスト変換手段は、
奇数の前記部分映像データの位置情報を取得してプレイリストを作成するための第１の作成手段と、
偶数の前記部分映像データの位置情報を取得してプレイリストを作成するための第２の作成手段とを含み、
前記プレイリスト変換手段により変換された前記プレイリストにしたがって、前記部分映像データを再生するための再生手段をさらに備える、データ再生装置。
【請求項２】
映像データを格納するためのデータ記録手段と、
前記データ記録手段に格納された前記映像データの複数のチャプタ情報を格納するためのチャプタ情報記録手段と、
前記複数のチャプタ情報により区切られる複数の部分映像データのうち所定の前記部分映像データの位置情報を取得してプレイリストに一括変換するためのプレイリスト変換手段と、
前記プレイリスト変換手段により変換された前記プレイリストにしたがって、前記部分映像データを再生するための再生手段とを備える、データ再生装置。
【請求項３】
前記プレイリスト変換手段は、
奇数の前記部分映像データの位置情報を取得してプレイリストを作成するための第１の作成手段と、
偶数の前記部分映像データの位置情報を取得してプレイリストを作成するための第２の作成手段とを含む、請求項２に記載のデータ再生装置。
【請求項４】
ユーザからの指示に基づいて、前記データ記録手段に格納された前記映像データの前記チャプタ情報を前記チャプタ情報記録手段に書き込むためのチャプタ設定手段をさらに備える、請求項２に記載のデータ再生装置。
【請求項５】
放送信号に基づく前記映像データを受信するための受信手段と、
前記受信手段により受信された前記映像データを前記データ記録手段に書き込むための書き込み手段と、
前記書き込み手段により前記データ記録手段に書き込まれる場合に、前記映像データのコマーシャルの開始位置および終了位置を検出して前記チャプタ情報を前記チャプタ情報記録手段に書き込むためのチャプタ設定手段とをさらに備える、請求項２に記載のデータ再生装置。
【発明の詳細な説明】
【技術分野】
【０００１】
本発明は、データ再生装置に関し、特に、プレイリスト編集機能を有するデータ再生装置に関する。
【背景技術】
【０００２】
従来より、コマーシャル（ＣＭ）部分を検出してＣＭ部分をスキップ再生する技術が開示されている。たとえば、特許文献１には、音声信号の変化点を区切りとして判断し、区切った後の長さが所定の長さより短い部分をＣＭとして判断して、ＣＭ部分を省いたプレイリストを構築する技術が開示されている。特許文献２には、放送信号の種別によってＣＭ部分を検出し、ＣＭ部分をスキップする技術が開示されている。また、特許文献３には、映像中のテレシネ変換部分と無音区間の存在を検出してＣＭ部分を判断することにより、ＣＭ部分をスキップ再生する技術が開示されている。特許文献４には、無音部分の位置情報とシーンチェンジ店の位置情報とを使ってＣＭ検出を行ない、番組本編はＣＭカット再生を行ないながら、そのカットされたＣＭを本編と同時に再生する技術が開示されている。
【０００３】
また、特許文献５には、再生開始点や終了点を画像を見ながら選択することによって、プレイリストを構築できる技術が開示されている。
【０００４】
上記特許文献１〜４に開示された技術を用いると、ＣＭ部分以外の番組を視聴することができる。また、特許文献５に開示された技術を用いると、ユーザが視聴したい部分のみを視聴することができる。
【特許文献１】特開２００１−８６４６８号公報
【特許文献２】特開２００３−２８１８５５号公報
【特許文献３】特開２０００−６９４１４号公報
【特許文献４】特開２００３−１７４６１４号公報
【特許文献５】特開２０００−３５３３７５号公報
【発明の開示】
【発明が解決しようとする課題】
【０００５】
しかしながら、上記特許文献１〜４に開示された技術では、ＣＭ部分をカットあるいはスキップ再生するため、視聴したいＣＭがある場合そのＣＭを視聴することができなくなってしまう。また、特許文献５に開示された技術では、プレイリストを構築するために、画像を見ながら一つ一つ設定する必要がある。
【０００６】
本発明は、上記のような問題を解決するためになされたものであって、その目的は、視聴したい部分のみを一括してプレイリストに変換することのできるデータ再生装置を提供することである。
【課題を解決するための手段】
【０００７】
この発明のある局面に従うデータ再生装置は、放送信号に基づく映像データを受信するための受信手段と、映像データを格納するためのデータ記録手段と、データ記録手段に格納された映像データの複数のチャプタ情報を格納するためのチャプタ情報記録手段と、受信手段により受信された映像データをデータ記録手段に書き込むための書き込み手段と、書き込み手段によりデータ記録手段に書き込まれる場合に、映像データのコマーシャルの開始位置および終了位置を検出してチャプタ情報をチャプタ情報記録手段に書き込むための第１のチャプタ設定手段と、ユーザからの指示に基づいて、データ記録手段に格納された映像データのチャプタ情報をチャプタ情報記録手段に書き込むための第２のチャプタ設定手段と、チャプタ情報記録手段に格納された複数のチャプタ情報により区切られる複数の部分映像データのうち所定の部分映像データの位置情報を取得してプレイリストに一括変換するためのプレイリスト変換手段とを備え、プレイリスト変換手段は、奇数の部分映像データの位置情報を取得してプレイリストを作成するための第１の作成手段と、偶数の部分映像データの位置情報を取得してプレイリストを作成するための第２の作成手段とを含み、プレイリスト変換手段により変換されたプレイリストにしたがって、部分映像データを再生するための再生手段をさらに備える。
【０００８】
この発明の他の局面に従うデータ再生装置は、映像データを格納するためのデータ記録手段と、データ記録手段に格納された映像データの複数のチャプタ情報を格納するためのチャプタ情報記録手段と、複数のチャプタ情報により区切られる複数の部分映像データのうち所定の部分映像データの位置情報を取得してプレイリストに一括変換するためのプレイリスト変換手段と、プレイリスト変換手段により変換されたプレイリストにしたがって、部分映像データを再生するための再生手段とを備える。
【０００９】
好ましくは、プレイリスト変換手段は、奇数の部分映像データの位置情報を取得してプレイリストを作成するための第１の作成手段と、偶数の部分映像データの位置情報を取得してプレイリストを作成するための第２の作成手段とを含む。
【００１０】
好ましくは、ユーザからの指示に基づいて、データ記録手段に格納された映像データのチャプタ情報をチャプタ情報記録手段に書き込むためのチャプタ設定手段をさらに備える。
【００１１】
好ましくは、放送信号に基づく映像データを受信するための受信手段と、受信手段により受信された映像データをデータ記録手段に書き込むための書き込み手段と、書き込み手段によりデータ記録手段に書き込まれる場合に、映像データのコマーシャルの開始位置および終了位置を検出してチャプタ情報をチャプタ情報記録手段に書き込むためのチャプタ設定手段とをさらに備える。
【発明の効果】
【００１２】
本発明によると、複数のチャプタにより区切られた奇数または複数の部分映像データを一括してプレイリストにすることができる。したがって、ユーザは簡単に視聴したい部分だけを集めたプレイリストを簡単に作成することができる。
【発明を実施するための最良の形態】
【００１３】
本発明の実施の形態について図面を参照しながら詳細に説明する。なお、図中同一または相当部分には同一符号を付してその説明は繰返さない。
【００１４】
図１を参照して、本発明の実施の形態に係るデータ再生装置の一態様であるＤＶＤレコーダ１００について説明する。図１は、ＤＶＤレコーダ１００のハードウェア構成を表わすブロック図である。
【００１５】
ＤＶＤレコーダ１００は、データを格納するためのメモリ１１２と、格納されているデータおよび外部から入力される指示に基づいて予め定められた処理を実行するためのシステム制御回路１１０と、外部からユーザの指示の入力を受付けるための操作部１２２と、リモコン信号を受信して所定の制御信号をシステム制御回路１１０に出力するための受光部１２４と、時刻を計測して信号をシステム制御回路１１０に出力するための計時回路１２６と、ＤＶＤレコーダ１００の作動状態を表わす情報を表示するための表示部１２８とを含む。なお、表示部１２８に表示される作動状態とは、たとえば、ＤＶＤレコーダにおける時刻情報、番組の録画状態等である。
【００１６】
図１を再び参照して、ＤＶＤレコーダ１００はさらに、アンテナ１９０と、受信された電波から所定の電波を選択するためのチューナ１３０と、外部から映像および音声信号の入力を受付けるための外部入力部１３２と、入力される信号を所定の処理に基づいて圧縮するためのＭＰＥＧ（Moving Picture Experts Group）エンコーダ１５２と、システム制御回路１１０からの指示に基づいてデジタルデータを格納するためのハードディスク装置１４０と、ＤＶＤ１７２を駆動して、映像音声データを記録したり再生したりするためのＤＶＤ駆動装置１７０と、圧縮されている映像音声信号を復号化するためのＭＰＥＧデコーダ１５４と、映像の表示画面にＤＶＤレコーダ１００の作動状態その他の情報を表示する信号を生成するためのＯＳＤ（On Screen Display）画像生成回路１１４と、ＯＳＤ画像生成回路１１４により生成された信号とＭＰＥＧデコーダ１５４からの出力信号とを合成して出力するための合成回路１５８と、入力されるデジタル信号をアナログ信号に変換して出力するためのＤ／Ａ（Digital to Analog）変換部１６０と、テレビ４００に映像音声信号を出力するための出力部１６８とを含む。ＤＶＤレコーダ１００は、伝送ケーブル１９２を介してテレビ４００に接続される。ハードディスク装置１４０は、データの記録と再生を行なうデータ記録再生ヘッド１４２と、データが格納されるハードディスク１４４とを含む。
【００１７】
ＤＶＤ−ＶＲフォーマットでＤＶＤ１７２に記録された映像データや、独自フォーマットでハードディスク１４４に記録された映像データは、図２に示すような映像データそのものをタイトルごとに管理するためのオリジナル管理テーブルと、図３に示すような再生順序を定義することのできるプレイリスト管理テーブルとにより管理される。
【００１８】
図２は、オリジナル管理テーブルの内容例を示す図である。なお、以下、ハードディスク１４４に映像データが格納されているものとして説明する。したがって、オリジナル管理テーブルおよびプレイリスト管理テーブルは、ハードディスク１４４のシステム管理領域に格納されているものとする。
【００１９】
図２を参照して、オリジナル管理テーブルは、タイトルごとにタイトル管理データＢｊ（ｊ＝１、２、３、…、ｍ）を有する。タイトル管理データＢｊは、タイトルＤ１，開始アドレスＤ２，終了アドレスＤ３，録画時間長Ｄ４，録画日付Ｄ５，チャンネルＤ６，チャプタ情報Ｄ７を含む。チャプタ情報Ｄ７には、たとえば１フレーム分の画像データの位置を特定するための時間情報が複数格納される。なお、チャプタ情報は、このようにハードディスク１４４のシステム管理領域内のタイトル管理テーブルに格納されなくてもよく、たとえば他の領域に格納されてもかまわない。以下、録画された映像データそのものである、１つのタイトル管理データＢｊで管理される映像データを、オリジナルタイトルと記す。
【００２０】
本発明の実施の形態において、チャプタ情報Ｄ７には、ＣＭ（コマーシャル）を自動判別することによって、その開始位置および終了位置にその時間情報であるチャプタが設定されてもよい。また、ユーザによる編集作業によってチャプタが設定されてもよい。なお、ＣＭの自動判別は、公知の技術を用いることにより行なうことができる。たとえば、放送信号の種別、たとえばモノラル音声かステレオ音声かなどの区別により、ＣＭを判別することができる。
【００２１】
図３は、プレイリスト管理テーブルの内容例を示す図である。プレイリスト管理テーブルは、プレイリスト管理データＰｋ（ｊ＝１、２、３、…、ｎ）を有する。プレイリスト管理データＰｋは、プレイリストタイトルｐＴと、オリジナルタイトルの位置情報であるプレイデータｐ１〜ｐｎとを含む。このように、プレイリスト管理データＰｋは、オリジナルタイトルを参照する情報により構成される。したがって、このプレイリスト管理データＰｋに従って再生すると、プレイデータｐ１〜ｐｎがこの順序で再生される。
【００２２】
図４は、ＣＭを自動判別してチャプタが割り当てられた場合のオリジナルタイトルの構成例を示す図である。図４（ａ）には第１の構成例を示し、図４（ｂ）には第２の構成例を示す。図中、時間ｔ０は、オリジナルタイトルの開始時間を示す。時間ｔ１，ｔ２，…，ｔ６は、チャプタが付された時間を示す。
【００２３】
図４（ａ）では、時間ｔ０〜時間ｔ１の第１チャプタ映像データＣ１は番組を表わし、時間ｔ１〜時間ｔ２の第２チャプタ映像データＣ２はＣＭを表わす。同様に、時間ｔ２〜時間ｔ３の第３チャプタ映像データＣ３，時間ｔ４〜時間ｔ５の第５チャプタ映像データＣ５は番組を表わし、時間ｔ３〜時間ｔ４の第４チャプタ映像データＣ４，時間ｔ５〜時間ｔ６の第６チャプタ映像データＣ６はＣＭを表わす。このように、オリジナルタイトルは、番組とＣＭとが交互に繰り返されて構成される。
【００２４】
一方、図４（ｂ）では、時間ｔ０〜時間ｔ１の第１チャプタ映像データＣ１はＣＭを表わし、時間ｔ１〜時間ｔ２の第２チャプタ映像データＣ２は番組を表わす。同様に、時間ｔ２〜時間ｔ３の第３チャプタ映像データＣ３，時間ｔ４〜時間ｔ５の第５チャプタ映像データＣ５はＣＭを表わし、時間ｔ３〜時間ｔ４の第４チャプタ映像データＣ４，時間ｔ５〜時間ｔ６の第６チャプタ映像データＣ６は番組を表わす。このように、オリジナルタイトルは、ＣＭと番組とが繰り返されて交互に構成される。
【００２５】
このようにＣＭを判別して自動的にチャプタが設定された場合、ユーザは、ＣＭ部分をスキップして再生することが多い。また、ユーザ自身がチャプタ編集機能を用いてチャプタが設定された場合は、視聴したい部分（必要部分）と視聴したくない部分（不要部分）との境界にチャプタを設定し、不要部分をスキップして再生することが多いと考えられる。
【００２６】
図５は、ユーザがチャプタ編集機能を用いてチャプタが割り当てられた場合のタイトルの構成例を示す図である。図５（ａ）には第１の構成例を示し、図５（ｂ）には第２の構成例を示す。図中、時間ｔ０は、オリジナルタイトルの開始時間を示す。時間ｔ１，ｔ２，…，ｔ６は、チャプタが付された時間を示す。なお、本実施の形態において、複数のチャプタ情報により区切られる映像データを、チャプタ映像データというものとする。
【００２７】
図５（ａ）では、時間ｔ０〜時間ｔ１の第１チャプタ映像データＣ１は必要部分を表わし、時間ｔ１〜時間ｔ２の第２チャプタ映像データＣ２は不要部分を表わす。同様に、時間ｔ２〜時間ｔ３の第３チャプタ映像データＣ３，時間ｔ４〜時間ｔ５の第５チャプタ映像データＣ５は必要部分を表わし、時間ｔ３〜時間ｔ４の第４チャプタ映像データＣ４，時間ｔ５〜時間ｔ６の第６チャプタ映像データＣ６は不要部分を表わす。このように、オリジナルタイトルは、必要部分と不要部分とが交互に繰り返されて構成される。
【００２８】
一方、図５（ｂ）では、時間ｔ０〜時間ｔ１の第１チャプタ映像データＣ１は不要部分を表わし、時間ｔ１〜時間ｔ２の第２チャプタ映像データＣ２は必要部分を表わす。同様に、時間ｔ２〜時間ｔ３の第３チャプタ映像データＣ３，時間ｔ４〜時間ｔ５の第３チャプタ映像データＣ５は不要部分を表わし、時間ｔ３〜時間ｔ４の第４チャプタ映像データＣ４，時間ｔ５〜時間ｔ６の第６チャプタ映像データＣ６は必要部分を表わす。このように、オリジナルタイトルは、不要部分と必要部分とが交互に繰り返されて構成される。
【００２９】
図４および図５を用いて表わしたような複数のチャプタが割り当てられたオリジナルタイトルから視聴したい部分のみを結合してプレイリストを作成すると、視聴したい部分と視聴したくない部分とが交互に構成されているため、結果的に奇数または偶数のチャプタ映像データを集めたものになる。そこで、本発明の実施の形態では、チャプタ編集機能の一つとして、プレイリスト一括変換を行なうことを可能とする。
【００３０】
図６は、本発明の実施の形態に係るＤＶＤレコーダ１００のシステム制御回路１１０が実行するプレイリスト一括変換処理の流れを示すフローチャートである。
【００３１】
図６を参照して、システム制御回路１１０は、はじめに、ハードディスク１４４に格納されているオリジナルタイトルのタイトル一覧を表示させる（ステップＳ２）。次に、ユーザからタイトルが指定されたか否かを判断する（ステップＳ４）。システム制御回路１１０は、ユーザによりタイトルが指定されたことを検知するまで待機する（ステップＳ４においてＮＯ）。タイトルが指定されたことを検知した場合に（ステップＳ４においてＹＥＳ）、指定されたタイトルのチャプタ画像を表示させる（ステップＳ６）。
【００３２】
次に、システム制御回路１１０は、ユーザによって奇数チャプタ一括プレイリスト変換が選択されたか否かを判断する（ステップＳ８）。システム制御回路１１０は、奇数チャプタ一括プレイリスト変換が選択されたと判断した場合（ステップＳ８においてＹＥＳ）、奇数チャプタ番号の位置情報を取得してプレイリストを作成する（ステップＳ１０）。たとえば、図４（ａ）および図５（ａ）に示したオリジナルタイトルの構成であれば、第１チャプタ映像データの時間ｔ０〜ｔ１までをプレイデータｐ１、第３チャプタ映像データの時間ｔ２〜ｔ３までをプレイデータｐ２、第５チャプタ映像データの時間ｔ４〜ｔ５までをプレイデータｐ３として１つのプレイリスト管理データＰｋを作成する。
【００３３】
また、ステップＳ８において、システム制御回路１１０は、奇数チャプタ一括プレイリスト変換が選択されていないと判断した場合（ステップＳ８においてＮＯ）、偶数チャプタ一括プレイリスト変換が選択されたか否かを判断する（ステップＳ１２）。システム制御回路１１０は、偶数チャプタ一括プレイリスト変換が選択されたと判断した場合（ステップＳ１２においてＹＥＳ）、偶数チャプタ番号の位置情報を取得してプレイリストを作成する（ステップＳ１４）。たとえば、図４（ｂ）および図５（ｂ）に示したオリジナルタイトルの構成であれば、第２チャプタ映像データの時間ｔ１〜ｔ２までをプレイデータｐ１、第４チャプタ映像データの時間ｔ３〜ｔ４までをプレイデータｐ２、第６チャプタ映像データの時間ｔ５〜ｔ６までをプレイデータｐ３として１つのプレイリスト管理データＰｋを作成する。
【００３４】
一方、ステップＳ１２において、偶数チャプタ一括プレイリスト変換が選択されなかったと判断した場合（ステップＳ１２においてＮＯ）、それぞれに応じた所定の処理を実行する（ステップＳ１６）。
【００３５】
図７は、本発明の実施の形態におけるチャプタ編集画面の一例を示す図である。
【００３６】
図７を参照して、テレビ４００の表示領域Ｅ１には、ユーザにより選択される各種ボタンが表示される。たとえば、移動ボタン７１、コピーボタン７２、削除ボタン７３、奇数チャプタ一括プレイリスト変換ボタン７４、偶数チャプタ一括プレイリスト変換ボタン７５、編集終了ボタン７６が表示される。
【００３７】
また、テレビ４００の表示領域Ｅ２には、指定されたオリジナルタイトルのチャプタ画像が表示される（図６のステップＳ６）。指定されたオリジナルタイトルのタイトル管理データＢｊにチャプタ情報Ｄ７がたとえば８つ格納されている場合、オリジナルタイトルのチャプタ映像データの開始画像が９つ（オリジナルタイトルの開始画像＋チャプタが付された時点の画像８つ）が表示される。
【００３８】
また、テレビ４００の表示領域Ｅ３には、表示領域Ｅ１に表示されたボタンの上にカーソルを移動したときに、そのボタンの機能を説明するためのメッセージが表示される。
【００３９】
図７を参照して、ユーザが奇数チャプタ一括プレイリスト変換ボタン７４にカーソルを移動させた場合、表示領域Ｅ２に表示されたチャプタ画像のうち奇数のチャプタ画像がたとえば拡大表示される。そして、この場合、表示領域Ｅ３には、「選択しているチャプタを結合してプレイリストを作成します」というメッセージが表示される。
【００４０】
このように、奇数または複数のチャプタ映像データを一括してプレイリストに変換することができるため、ユーザは簡単に視聴したい部分だけを集めたプレイリストを作成することができる。また、チャプタ編集画面に、チャプタ画像やメッセージを表示することにより、ユーザがどの部分が視聴したい部分（番組または必要部分）でどの部分が視聴したくない部分（ＣＭまたは不要部分）かを容易に判断することができる。
【００４１】
なお、以上、ハードディスク１４４に記録された映像データについて説明したが、ＤＶＤ−ＶＲフォーマットで記録したＤＶＤ１７２に格納された映像データにも適用することができる。
【００４２】
また、本実施の形態において、本発明にかかるデータ再生装置は、ハードディスク装置１４０およびＤＶＤ駆動装置１７０の両方を含む構成としたが、ハードディスク装置１４０だけであってもかまわないし、ＤＶＤ駆動装置１７０だけであってもかまわない。
【００４３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００４４】
【図１】本発明の実施の形態に係るＤＶＤレコーダのハードウェア構成を表わすブロック図である。
【図２】オリジナル管理テーブルの内容例を示す図である。
【図３】プレイリスト管理テーブルの内容例を示す図である。
【図４】ＣＭを自動判別してチャプタが割り当てられた場合のオリジナルタイトルの構成例を示す図である。
【図５】ユーザがチャプタ編集機能を用いてチャプタが割り当てられた場合のタイトルの構成例を示す図である。
【図６】本発明の実施の形態に係るＤＶＤレコーダのシステム制御回路が実行するプレイリスト一括変換処理の流れを示すフローチャートである。
【図７】本発明の実施の形態におけるチャプタ編集画面の一例を示す図である。
【符号の説明】
【００４５】
１００  ＤＶＤレコーダ、１１０  システム制御回路、１１２  メモリ、１１４  ＯＳＤ画像生成回路、１２２  操作部、１２４  受光部、１２６  計時回路、１２８  表示部、１３０  チューナ、１３２  外部入力部、１４０  ハードディスク装置、１４２  データ記録再生ヘッド、１４４  ハードディスク、１５２  ＭＰＥＧエンコーダ、１５４  ＭＰＥＧデコーダ、１５８  合成回路、１６０  Ｄ／Ａ変換部、１６８  出力部、１７０  ＤＶＤ駆動装置、１７２  ＤＶＤ、１９０  アンテナ、４００  テレビ。
【図１】
2006172618.tif 000003
【図２】
2006172618.tif 000004
【図３】
2006172618.tif 000005
【図４】
2006172618.tif 000006
【図５】
2006172618.tif 000007
【図６】
2006172618.tif 000008
【図７】
2006172618.tif 000009